(57)【要約】【課題】  冷却機能と、紫外線を防ぐ機能とサンバイザー機能とを兼ね備えたアイマスクを得る。【解決手段】  ベース部１ａと鍔部１ｂから成るアイマスクベース１と、このアイマスクベース１の反対側に縫合されたアイマスクカバー３と、上記ベース部１ａに固着されたベース部面ファスナー８ａと、上記鍔部１ｂに縫合され上記ベース部面ファスナー８ａと係合する鍔部面ファスナー８ｂと、上記アイマスクベース１または上記アイマスクカバー３に固着され人の頭部に装着するためのバンド７を備える。【選択図】      図１
0003117039.tif 000002
【実用新案登録請求の範囲】
【請求項１】
ベース部と鍔部から成るアイマスクベースと、このアイマスクベースの反対側に縫合されたアイマスクカバーと、上記ベース部に固着されたベース部面ファスナーと、上記鍔部に固着され上記ベース部面ファスナーと係合する鍔部面ファスナーと、上記アイマスクベースまたは上記アイマスクカバーに固着され人の頭部に装着するためのバンドとを備えたことを特徴とするアイマスク。
【請求項２】
アイマスクベースとアイマスクカバーの上端部を開閉する一対の面ファスナーを設けて、第一のポケットを形成すると共に、アイマスクベースとアイマスクカバーの下端部を開閉する一対の面ファスナーを設けて、第二のポケットを形成したことを特徴とする請求項１記載のアイマスク。
【請求項３】
アイマスクベースの裏側に固着された遮光部材と、アイマスクカバーの裏側に固着された涼感部材とを備えたことを特徴とする請求項１または２記載のアイマスク。
【考案の詳細な説明】
【技術分野】
【０００１】  この考案は、部屋の中や乗り物の中で眠るとき、明かりをさえぎることの出来るアイマスクの改良に関するものである。
【技術背景】
【０００２】  従来の一般的なアイマスクは、乗り物の中や部屋の中で眠るときやリラックスしたいときに、明かりをさえぎるためのアイマスク部とゴム紐で構成されている。
また、他のアイマスクとして、アイマスク部にポケットを設けて、その中に目を冷やすための効果のある物質等を収納できるようにしたものがある。（例えば、特許文献１参照）。
【特許文献１】特開２０００−１６６９５８号公報
【考案が解決しようとする課題】
【０００３】  上記従来の一般的なアイマスクは、眠るときやリラックスしたいときに明かりをさえぎることが目的で、目だけを覆い隠す機能が主であり、基本的に多機能なものはなかった。
【０００４】  また、上記特許文献１のアイマスクは、アイマスクの内側にポケットを設けて、目を冷やす効果のある物質等を収納できる構造になっているが、目のまわりだけを冷やす効果しかなく、その他の部分を冷やす効果のある構造は備えていない。
【０００５】  また、上記従来のアイマスクでは、有害な紫外線から顔を守る機能はなく、また、アイマスクから、サンバイザー型に形を変えられるものはなかった。
【０００６】  本考案のアイマスクは、上述のような問題点を解決するためになされたもので、冷却機能と、紫外線を防ぐ機能と、サンバイザー機能とを兼ね備えたアイマスクを得ることを目的とする。
【課題を解決する手段】
【０００７】  本考案のアイマスクは、ベース部と鍔部から成るアイマスクベースと、このアイマスクベースの反対側に縫合されたアイマスクカバーと、上記ベース部に固着されたベース部面ファスナーと、上記鍔部に固着され上記ベース部面ファスナーと係合する鍔部面ファスナーと、上記アイマスクベースまたは上記アイマスクカバーに固着され人の頭部に装着するためのバンドとを備えたものである。
【０００８】  また、アイマスクベースとアイマスクカバーの上端部を開閉する一対の面ファスナーを設けて、第一のポケットを形成すると共に、アイマスクベースとアイマスクカバーの下端部を開閉する一対の面ファスナーを設けて、第二のポケットを形成することで第一のポケット、第二のポケットを備えたものである。
【０００９】  また、アイマスクベースの裏側に固着された遮光部材と、アイマスクカバーの裏側に固着された涼感部材を備えたものである。
【考案の効果】
【００１０】  本考案のアイマスクは、ベース部と鍔部から成るアイマスクベースと、このアイマスクベースの反対側に縫合されたアイマスクカバーと、上記ベース部に固着されたベース部面ファスナーと、上記鍔部に固着され上記ベース部面ファスナーと係合する鍔部面ファスナーと、上記アイマスクベースまたは上記アイマスクカバーに固着され人の頭部に装着するためのバンドとを備えるようにしたので、ベース部面ファスナーと鍔部面ファスナーを接合することによりサンバイザー型に形を変えることができ、有害な紫外線から顔を守ることができる。
【００１１】  また、アイマスクベースとアイマスクカバーの上端部を開閉する一対の面ファスナーを設けて、第一のポケットを形成すると共に、アイマスクベースとアイマスクカバーの下端部を開閉する一対の面ファスナーを設けて、第二のポケットを形成する様にしたので、それぞれのポケットに保冷剤等を入れることができ、目の部分及び、その他、後頭部や首筋等も冷却できる。
【００１２】  また、アイマスクベースの裏側に固着された遮光部材と、アイマスクカバーの裏側に固着された涼感部材とを備える様にしたので、遮光部材により紫外線を防ぐことが出来ると共に、涼感部材に水分を含ませて接触部を冷やすことができる。
【考案を実施するための最良の形態】
【００１３】  図１は、この考案の一実施の形態を示すアイマスクの斜視図である。図２は、図１の線Ａ−Ａに沿う拡大断面図である。図１において、１０はアイマスク本体である。１は繊維製のアイマスクベースであり、上部のベース部１ａと下部の鍔部１ｄとで構成されている。アイマスクベース１の大きさは、ほぼ目と鼻を覆う大きさに形成されている。【００１４】  図２において、２はアイマスクベース１の裏側に固着された遮光部材であり、光や紫外線を防ぐ素材で形成されている。また、アイマスクベース１と遮光部材２は図１に示す破線部１ｃで縫合されている。３はアイマスクベース１の裏側に固着されたアイマスクカバーであり、直接肌に触れる部分のため、例えばタオル地等の様な肌触りのよい快適素材で形成されている。アイマスクカバー３の大きさは、アイマスクベース１とほぼ同じ大きさに形成されている。４はアイマスクカバー３に固着された涼感部材であり、例えば水分を吸収しやすい素材で形成されている。またアイマスクカバー３と涼感部材４は、端部を全周にわたって縫合されている。【００１５】  また、アイマスクベース１と遮光部材２とアイマスクカバー３と涼感部材４は、図１の破線部１ｄで縫合されている。【００１６】  図２に示すように、５ａは遮光部材２の上端部に固着された第一の面ファスナー、５ｂは涼感部材４の上端部に固着された第二の面ファスナー、６ａは遮光部材２の下端部に固着された第三の面ファスナー、６ｄは涼感部材４の下短部に固着された第四の面ファスナーである。面ファスナー５ａと５ｂおよび面ファスナー６ａと６ｂは一対の面ファスナーであり、雌雄どちらを装着してもよい。Ｘはベース部１ａの裏側に形成された第一のポケット、Ｙは鍔部１ｂの裏側に形成された第二のポケットである。２０は保冷剤であり、アイマスクを使用時に必要に応じて、面ファスナー５ａと５ｂおよび面ファスナー６ａと６ｂを開いて第一のポケットＸおよび第二のポケットＹに挿入される。【００１７】  また、図１に示すように、７はアイマスクを人の頭部に装着するためのバンドであり、ベース部１ａの裏側左端面に固着された第一のバンド７ａと、ベース部１ａの裏側右端面に固着された第二のバンド７ｂとで構成されている。８ａはベース部１ａの表面に固着されたベース部面ファスナーすなわち第五の面ファスナー、８ｂは鍔部１ｂの表面上部に固着された鍔部面ファスナーすなわち第六の面ファスナーである。９ａは第一のバンド７ａの先端部に固着された第七の面ファスナー、９ｂは第二のバンド７ｂの先端部に固着された第八の面ファスナーである。面ファスナー８ａと８ｂおよび面ファスナー９ａと９ｂは雌雄の一対の面ファスナーであり、どちらを装着してもよい。【００１８】  上述のように構成されたアイマスクにおいて、その使用方法を図３〜図８に基づき説明する。図３においては、アイマスク１０を顔に装着した基本的な使用状態であり、目を覆い隠す効果がある使用状態であると共に、ポケットＸ，Ｙに保冷剤２０等を入れる（図示せず）ことにより、目と額部分を冷やす効果がある。図４においては、アイマスク鍔部１ｂを折れ曲げることにより、目の部分に少し圧力がかかり、快適である。【００１９】  図５はアイマスク���０の第五の面ファスナー８ａと第六の面ファスナー８ｂを合わせて、サンバイザー型に形を変えた状態を示すもので、鍔部１ｂによって紫外線から顔を守ることができる。また、ポケットＸに保冷剤２０等を入れる（図示せず）ことができるため額を冷やす効果があるので夏場のゴルフやスポーツ観戦時に有効的である。【００２０】  図６はアイマスク１０の基本状態を逆さにすることで、目と額全体を覆い、ポケットＸ、Ｙに保冷剤２０等を入れる（図示せず）ことにより、目と前頭部を冷やす効果がある。図７はアイマスク１０を後頭部にかぶり、ポケットＸ、Ｙに保冷剤２０等を入れる（図示せず）ことにより後頭部を冷やす効果がある。図８はアイマスク１０を首にかけた状態を示すもので、ポケットＸ、Ｙに保冷剤２０等を入れる（図示せず）ことにより、首筋を冷やす効果と、首筋を紫外線から守る効果があるので特に夏場など、熱中症予防になる。
【図面の簡単な説明】
【００２１】
【図１】  この考案の一実施の形態を示すアイマスクの斜視図である。
【図２】  図１の線Ａ−Ａに沿う拡大断面図である。
【図３】  この考案のアイマスクの使用状態を示す斜視図である。
【図４】  この考案のアイマスクの使用状態を示す斜視図である。
【図５】  この考案のアイマスクの使用状態を示す斜視図である。
【図６】  この考案のアイマスクの使用状態を示す斜視図である。
【図７】  この考案のアイマスクの使用状態を示す斜視図である。
【図８】  この考案のアイマスクの使用状態を示す斜視図である。
【符号の説明】
【００２２】１    アイマスクベース
１ａ  ベース部
１ｂ  鍔部
２    遮光部材
３    アイマスクカバー
４    涼感部材
５ａ  第一の面ファスナー
５ｂ  第二の面ファスナー
６ａ  第三の面ファスナー
６ｂ  第四の面ファスナー
７    バンド
７ａ  第一のバンド
７ａ  第二のバンド
８ａ  第五の面ファスナー（ベース部面ファスナー）
９ａ  第六の面ファスナー（鍔部面ファスナー）
１０  アイマスク本体
２０  保冷剤
Ｘ    第一のポケット
Ｙ    第二のポケット
【図１】
0003117039.tif 000003
【図２】
0003117039.tif 000004
【図３】
0003117039.tif 000005
【図４】
0003117039.tif 000006
【図５】
0003117039.tif 000007
【図６】
0003117039.tif 000008
【図７】
0003117039.tif 000009
【図８】
0003117039.tif 000010